(57)【要約】【課題】音声報知の出力中に次の音声報知の出力要求が生じたときに、使用者にとってより適切な音声報知がなされるようにしたリモコン装置及びリモコンシステムを提供することを目的とする。【解決手段】音声再生回路５２により音声データに応じた音声が再生されてスピーカ２７から出力されているときに、音声データ選択手段６２により、スイッチ入力信号（Ｓｗ_sig）又はコントローラ２から受信した状態報知信号（Ｓｔａｔ_sig）に応じた音声データが選択されたときには、出力中の音声に応じた音声データを第１の音声データ（Ｖs1）とし、選択された音声データを第２の音声データ（Ｖs2）として、音声調停処理選択マップ６０に適用し、音声調停処理選択マップ６０により選択された音声出力調停処理を実行する音声出力調停手段６１を備える。【選択図】  図２
2005049648.tif 000002
【特許請求の範囲】
【請求項１】
器具との間で通信を行なって該器具を遠隔操作する機能を有し、使用者により操作されるスイッチと、該器具から送信される少なくとも該器具の作動状態を報知する信号を含む状態報知信号を受信したとき及び前記スイッチが操作されたときに、該状態報知信号又は前記スイッチの操作内容に応じて、予め定められた複数種類の音声データの中から１つの音声データを選択する音声データ選択手段と、該音声データ選択手段により選択された音声データに応じた音声を出力する音声出力手段とを備えたリモコン装置において、
前記音声出力手段により前記複数種類の音声データのうちのいずれかである第１の音声データに応じた音声が出力されているときに、前記音声データ選択手段により前記複数種類の音声データのうちのいずれかである第２の音声データが選択されたときには、予め定められた第１の音声データと第２の音声データ間の調停条件に従って、第１の音声データに応じた音声出力を継続して該音声出力の終了後に第２の音声データに応じた音声を出力する第１の音声調停処理と、第１の音声データに応じた音声出力を継続して第２の音声データに応じた音声の出力を禁止する第２の音声調停処理と、第１の音声データに応じた音声の出力を中止して第２の音声データに応じた音声を出力する第３の音声調停処理とのうちの、いずれかの音声調停処理を実行する音声出力調停手段を備えたことを特徴とするリモコン装置。
【請求項２】
前記第１の音声データ及び前記第２の音声データを入力パラメータとして、前記第１の音声データに応じた音声出力と前記第２の音声データに応じた音声出力との相対的な優先関係に基づいて、前記第１の音声データに応じた音声出力を優先するときは、前記第１の音声調停処理又は前記第２の音声調停処理を選択し、前記第２の音声データに応じた音声出力を優先するときには、前記第３の音声調停処理を選択する音声調停処理選択マップのデータにアクセス可能なマップアクセス手段を備え、
前記音声出力調停手段は、前記調停条件として前記音声調停処理選択マップを用い、前記第１の音声データ及び前記第２の音声データを前記音声調停処理選択マップに適用して選択した音声調停処理を実行することを特徴とする請求項１記載のリモコン装置。
【請求項３】
前記音声出力調停手段は、前記第３の音声調停処理において、前記第１の音声データに応じた音声の出力を中止した時に所定の区切り音を出力し、該区切り音の出力後に前記第２の音声データに応じた音声を出力することを特徴とする請求項１又は請求項２記載のリモコン装置。
【請求項４】
器具との間で通信を行なって該器具を遠隔操作する機能を有し、使用者により操作されるスイッチと、該器具から送信される少なくとも該器具の作動状態を報知する信号を含む状態報知信号を受信したとき及び前記スイッチが操作されたときに、該状態報知信号又は前記スイッチの操作内容に応じて、予め定められた複数種類の音声データの中から１つの音声データを選択する音声データ選択手段と、該音声データ選択手段により選択された音声データに応じた音声を出力する音声出力手段とを有するリモコン装置を複数台備えたリモコンシステムであって、
いずれかのリモコン装置のスイッチ操作により前記器具の作動状態が変化したときに、前記器具から他のリモコン装置に対して該作動状態の変化を報知する前記状態報知信号が送信されるリモコンシステムにおいて、
前記各リモコン装置は、前記音声出力手段により前記複数種類の音声データのうちのいずれかである第１の音声データに応じた音声が出力されているときに、前記音声データ選択手段により前記複数種類の音声データのうちのいずれかである第２の音声データが選択されたときには、予め定められた第１の音声データと第２の音声データ間の調停条件に従って、第１の音声データに応じた音声出力を継続して該音声出力の終了後に第２の音声データに応じた音声を出力する第１の音声調停処理と、第１の音声データに応じた音声出力を継続して第２の音声データに応じた音声の出力を禁止する第２の音声調停処理と、第１の音声データに応じた音声の出力を中止して第２の音声データに応じた音声を出力する第３の音声調停処理とのうちの、いずれかの音声調停処理を実行する音声出力調停手段を備えたことを特徴とするリモコンシステム。
【発明の詳細な説明】
【技術分野】
【０００１】
本発明は、音声により報知を行う機能を有して、器具を遠隔操作するリモコン装置に関する。
【背景技術】
【０００２】
例えば、給湯器を遠隔操作するリモコン装置において、音声による報知を行う機能を有するものが知られている。かかるリモコン装置によれば、使用者が温度設定スイッチを操作して給湯温度を変更したときに、「給湯温度を○○℃に設定しました」という音声報知がなされ、また、給湯温度が高温（例えば６０℃）に設定されたときには、それに加えて「熱いお湯が出ます。」という音声報知がなされる。この場合、使用者はスイッチの操作結果を音声により確認することができるため、誤設定を抑制することができ使い勝手が良い。
【０００３】
また、浴槽への自動湯張りを行なう給湯器を遠隔操作するリモコン装置においては、自動湯張りを開始するときに「お湯張りをします」という音声を出力し、自動湯張りを終了したときに「お風呂が沸きました」という音声を出力して、使用者に湯張りの実行状況を知らせるようにしている。
【０００４】
ここで、リモコン装置により何らかの音声報知がなされているときに、給湯器からリモコン装置へ新たな音声報知の要求が生じる場合がある。例えば、使用者の温度設定操作に応じてリモコン装置が「熱いお湯が出ます」という音声を出力しているときに、予約運転により自動湯張りが開始されて「お湯張りをします」という音声報知の要求が生じたような場合である。この場合、出力中の「熱いお湯が出ます」という音声報知を中断して「お湯張りをします」という音声報知を行うと、例えば「熱い−お湯張りをします」という不自然なセンテンスの音声が出力され、使用者に違和感を与えてしまう。
【０００５】
そこで、出力中の音声報知が終了した後に、要求されている次の音声報知を行うようにしたリモコンシステムが提案されている（例えば、特許文献１参照）。しかし、リモコン装置から出力される音声の種類は、近年の給湯器の高機能化に伴って増加しており、音声報知の出力中に次の音声報知の要求があったときに、出力中の音声報知の終了後に次の音声報知を行うようにすることが、使用者にとって必ずしも適切なものとならない場合がある。
【特許文献１】特開平１１−４５０９９号公報
【発明の開示】
【発明が解決しようとする課題】
【０００６】
本発明は上記背景を鑑みてなされたものであり、音声報知の出力中に次の音声報知の出力要求が生じたときに、使用者にとってより適切な音声報知がなされるようにしたリモコン装置及びリモコンシステムを提供することを目的とする。
【課題を解決するための手段】
【０００７】
本発明は上記目的を達成するためになされたものであり、本発明のリモコン装置は、器具との間で通信を行なって該器具を遠隔操作する機能を有し、使用者により操作されるスイッチと、該器具から送信される少なくとも該器具の作動状態を報知する信号を含む状態報知信号を受信したとき及び前記スイッチが操作されたときに、該状態報知信号又は前記スイッチの操作内容に応じて、予め定められた複数種類の音声データの中から１つの音声データを選択する音声データ選択手段と、該音声データ選択手段により選択された音声データに応じた音声を出力する音声出力手段とを備える。
【０００８】
そして、前記音声出力手段により前記複数種類の音声データのうちのいずれかである第１の音声データに応じた音声が出力されているときに、前記音声データ選択手段により前記複数種類の音声データのうちのいずれかである第２の音声データが選択されたときには、予め定められた第１の音声データと第２の音声データ間の調停条件に従って、第１の音声データに応じた音声出力を継続して該音声出力の終了後に第２の音声データに応じた音声を出力する第１の音声調停処理と、第１の音声データに応じた音声出力を継続して第２の音声データに応じた音声の出力を禁止する第２の音声調停処理と、第１の音声データに応じた音声の出力を中止して第２の音声データに応じた音声を出力する第３の音声調停処理とのうちの、いずれかの音声調停処理を実行する音声出力調停手段を備えたことを特徴とする。
【０００９】
かかる本発明によれば、前記音声出力手段により前記第１の音声データに応じた音声が出力されているときに前記音声データ選択手段により前記第２の音声データが選択されると、前記調停条件に従って、前記第１の音声調停処理と前記第２の音声調停処理と前記第３の音声調停処理とのうちのいずれかが選択的に実行される。そのため、前記第１の音声データと前記第２の音声データの内容に応じて前記調停条件を設定することにより、前記第１の音声データによる音声出力の要求と前記第２の音声データによる音声出力の要求とが競合したときに、使用者にとって適切な音声報知を行うことが可能となる。
【００１０】
また、前記第１の音声データ及び前記第２の音声データを入力パラメータとして、前記第１の音声データに応じた音声出力と前記第２の音声データに応じた音声出力との相対的な優先関係に基づいて、前記第１の音声データに応じた音声出力を優先するときは、前記第１の音声調停処理又は前記第２の音声調停処理を選択し、前記第２の音声データに応じた音声出力を優先するときには、前記第３の音声調停処理を選択する音声調停処理選択マップのデータにアクセス可能なマップアクセス手段を備え、前記音声出力調停手段は、前記調停条件として前記音声調停処理選択マップを用い、前記第１の音声データ及び前記第２の音声データを前記音声調停処理選択マップに適用して選択された音声調停処理を実行することを特徴とする。
【００１１】
かかる本発明によれば、前記調停条件を前記第１の音声データに応じた音声報知と前記第２の音声データに応じた音声報知との相対的な優先関係に基づいて前記音声調停処理選択マップとして具体化し、前記マップアクセス手段により前記音声調停処理選択マップにアクセス可能とすることにより、前記第１の音声データと前記第２の音声データとを前記音声調停処理選択マップに適用して、実行する音声調停処理を容易に選択することができる。さらに、前記音声調停処理選択マップの仕様を変更することによって、前記調停条件を容易に変更することができる。
【００１２】
また、前記音声出力調停手段は、前記第３の音声調停処理において、前記第１の音声データに応じた音声の出力を中止した時に所定の区切り音を出力し、該区切り音の出力後に前記第２の音声データに応じた音声を出力することを特徴とする。
【００１３】
かかる本発明によれば、前記第１の音声データに応じた音声の出力を中止して前記第２の音声データに応じた音声を出力するときに、前記区切り音の出力を途中に介して該２つの音声出力の区切りを明確にすることにより、途切れた前記第１の音声データに応じた音声出力と前記第２の音声データに応じた音声出力とが連続して不自然なセンテンスが構成され、使用者に違和感を与えることを防止することができる。
【００１４】
また、本発明のリモコンシステムは、器具との間で通信を行なって該器具を遠隔操作する機能を有し、使用者により操作されるスイッチと、該器具から送信される少なくとも該器具の作動状態を報知する信号を含む状態報知信号を受信したとき及び前記スイッチが操作されたときに、該状態報知信号又は前記スイッチの操作内容に応じて、予め定められた複数種類の音声データの中から１つの音声データを選択する音声データ選択手段と、該音声データ選択手段により選択された音声データに応じた音声を出力する音声出力手段とを有するリモコン装置を複数台備えたリモコンシステムであって、いずれかのリモコン装置のスイッチ操作により前記器具の作動状態が変化したときに、前記器具から他のリモコン装置に対して該作動状態の変化を報知する前記状態報知信号が送信される。
【００１５】
そして、前記各リモコン装置は、前記音声出力手段により前記複数種類の音声データのうちのいずれかである第１の音声データに応じた音声が出力されているときに、前記音声データ選択手段により前記複数種類の音声データのうちのいずれかである第２の音声データが選択されたときには、予め定められた第１の音声データと第２の音声データ間の調停条件に従って、第１の音声データに応じた音声出力を継続して該音声出力の終了後に第２の音声データに応じた音声を出力する第１の音声調停処理と、第１の音声データに応じた音声出力を継続して第２の音声データに応じた音声の出力を禁止する第２の音声調停処理と、第１の音声データに応じた音声の出力を中止して第２の音声データに応じた音声を出力する第３の音声調停処理とのうちの、いずれかの音声調停処理を実行する音声出力調停手段を備えたことを特徴とする。
【００１６】
かかる本発明によれば、前記複数のリモコン装置のうちのいずれかのスイッチが操作されて該操作に応じて前記器具の作動状態が変化すると、前記器具から各リモコン装置に対して前記状態報知信号が送信される。そのため、前記音声出力手段により音声を出力しているリモコン装置があるときに、いずれかのリモコン装置のスイッチが操作されると、該音声を出力中のリモコンにおいては、前記器具から送信される状態報知信号に対応する音声データが前記音声データ選択手段により選択されて新たな音声の出力要求が発生する。したがって、前記リモコン装置を１台用いる場合に比べて、各リモコン装置において音声の出力中に新たな音声の出力要求が発生する頻度が高くなる
そこで、各リモコン装置において、前記音声出力手段により前記第１の音声データに応じた音声が出力されているときに前記音声データ選択手段により前記第２の音声データが選択されたときには、前記調停条件に従って、前記第１の音声調停処理と前記第２の音声調停処理と前記第３の音声調停処理とのうちのいずれかを選択的に実行することによって、使用者にとって適切な音声報知を行うことの効果が大きい。
【発明を実施するための最良の形態】
【００１７】
本発明の実施の形態について、図１〜図５を参照して説明する。図１は給湯器を遠隔操作するリモコンシステムの全体構成図、図２は図１に示した風呂リモコンの構成図、図３は各リモコンから出力される音声の一覧表、図４は音声調停処理選択マップの仕様図、図５は音声調停処理のフローチャートである。
【００１８】
図１を参照して、給湯器１（本発明の器具に相当する）は、マイクロコンピュータやメモリ等により構成される電子ユニットであるコントローラ２によって全体の作動が制御される。そして、給湯器１を遠隔操作するために、風呂リモコン１０と台所リモコン１１とサブリモコン１２とが、コントローラ２と通信可能に接続されている。なお、風呂リモコン１０、台所リモコン１１、及びサブリモコン１２は本発明のリモコン装置に相当し、これらのリモコンにより本発明のリモコンシステムが構成される。
【００１９】
風呂リモコン１０は浴室の壁面に設置され、給湯器１の運転状態や給湯温度等を表示するディスプレイ２０、給湯器１を運転状態と運転待機状態とに切換える運転入／切スイッチ２１、浴槽（図示しない）への自動湯張り運転の開始を指示する自動スイッチ２２、給湯温度の設定等を行うＵＰスイッチ２４及びＤＯＷＮスイッチ２３、設定値の変更対象（給湯温度、時計、自動湯張り運転の予約時刻、スピーカ音量）を切換える選択スイッチ２５、風呂リモコン１０による給湯温度の設定を優先して他のリモコン１１，１２による給湯温度の設定を禁止する「優先モード」の設定／解除をする優先スイッチ２６、及び音声を出力するブザー２７を備えている。
【００２０】
また、台所リモコン１１は台所の壁面に設置され、風呂リモコン１０と同様に、ディスプレイ３０、運転入／切スイッチ３１、自動スイッチ３２、ＵＰスイッチ３４及びＤＯＷＮスイッチ３３、選択スイッチ３５、及びブザー３６を備えている。
【００２１】
また、サブリモコン１２はリビングの壁面等に設置され、風呂リモコン１０及び台所リモコン１１と同様に、ディスプレイ４０、運転入／切スイッチ４１、自動スイッチ４２、ＵＰスイッチ４４及びＤＯＷＮスイッチ４３、選択スイッチ４５、及びブザー４６を備えている。
【００２２】
次に、図２を参照して、風呂リモコン１０は、風呂リモコン１０の全体的な作動を制御するマイクロコンピュータ５０（以下、マイコン５０という）、音声報知を行うための各種の音声データ（Ｖ_dat）が記憶された音声メモリ５１、マイコン５０からの音声出力指示により選択した音声データを音声メモリ５１から読出して再生し、再生した音声信号をスピーカ２７に出力する音声再生回路５２（スピーカ２７と共に本発明の音声出力手段を構成する）、各スイッチ２１〜２６の操作状態を検出して操作状態検出信号（Ｓｗ_sig）をマイコン５０に出力するスイッチ入力回路５３、マイコン５０から出力される表示データに応じた駆動信号をディスプレイ２０に出力する表示駆動回路５４、及び給湯器１のコントローラ２との間で通信を行なうための通信回路５５を備えている。
【００２３】
そして、マイコン５０は、スイッチ入力回路５３から入力した操作状態検出信号（Ｓｗ_sig）又は、コントローラ２から入力した給湯器１の作動状態を示す状態報知信号（Ｓｔａｔ_sig）に対応した音声データ（Ｖ_sel）を選択する音声データ選択手段６２と、音声再生回路５２により音声が出力されているときに音声データ選択手段６２により新たな音声データが選択されたときに、出力中の第１の音声データ（Ｖs1）と新たに選択された第２の音声データ（Ｖs1）との間の音声出力調停処理を行う音声出力調停手段６１とを備えている。
【００２４】
また、マイコン５０に内蔵されたメモリには、該第１の音声データ（Ｖs1）と該第２の音声データ（Ｖs2）とを入力パラメータとして実行する音声出力調停処理を選択する音声調停処理選択マップ６０のデータ（Ｍap_dat）が記憶されている。なお、台所リモコン１１及びサブリモコン１２の構成も風呂リモコン１０と同様であるため、風呂リモコン１０の作動について以下に説明し、台所リモコン１１及びサブリモコン１２の作動説明は省略する。
【００２５】
音声メモリ５１には、図３に示した２９種類の音声データ（Ｖ01〜Ｖ29）が記憶されている。そして、スイッチが操作されたときに、操作内容に応じてＶ01〜Ｖ08のうちのいずれかの音声データが音声データ選択手段６２により選択される。例えば、ＵＰスイッチ２４が操作されたときは、Ｖ07の音声データが選択され、該音声データに応じた「メロディ（ＵＰ）」の音声が音声再生回路５２により再生されてスピーカ２７から出力される。また、ＤＯＷＮスイッチ２３が操作されたときは、Ｖ08の音声データが選択され、該音声データに応じた「メロディ（ＤＯＷＮ）」の音声が音声再生回路５２により生成されてスピーカ２７から出力される。
【００２６】
また、ＵＰスイッチ２４及びＤＯＷＮスイッチ２３以外のスイッチが操作されたときは、Ｖ01の音声データが選択され、該音声データに応じた「ＳＷ受付ブザー」の音声が音声再生回路５２により再生されてスピーカ２７から出力される。なお、各リモコンは計時機能を有し、選択スイッチ２６を操作することによって、ＵＰスイッチ２４及びＤＯＷＮスイッチ２３による設定モードが、「設定確定モード → 給湯温度設定モード → 時計設定モード → 自動湯張り予約時刻設定モード → スピーカ音量設定モード」と変更される。
【００２７】
そして、「スピーカ音量設定モード」においては、ＵＰスイッチ２４及びＤＯＷＮスイッチ２３の操作により、「音量大 → 音量中 → 音量小 → 音消し」と、スピーカ２７の出力音量の設定が切換わり、操作内容に応じてＶ02〜Ｖ05のいずれかの音声データが音声データ選択手段６２により選択される。そして、選択された音声データに応じた音声が音声再生回路５２により再生されてスピーカ２７から出力される。
【００２８】
また、風呂リモコン１０の優先スイッチ２６の操作により、上述した「優先モード」となっているときに、台所リモコン１１又はサブリモコン１２において給湯温度を変更しようとする操作がなされたときには、該操作がなされたリモコンにおいてＶ08の音声データが選択される。そして、選択された音声データに応じた「給湯温度は変更できません」という音声がスピーカから出力される。
【００２９】
また、ＵＰスイッチ２４及びＤＯＷＮ２３の操作により給湯温度の変更が指示されたときは、風呂リモコン１０から給湯器１のコントローラ２に該指示内容に応じた信号が送信される。そして、該信号に応じて給湯温度を変更したコントローラ２から各リモコンに対して、新たに設定された給湯温度のデータが送信され、該データに応じて、風呂リモコン１０においては、Ｖ09〜Ｖ24のうちのいずれかの音声データが選択され、該選択された音声データに応じた音声が出力される。また、台所リモコン１１及びサブリモコン１２においては、Ｖ26の音声データが選択されて「給湯温度が変更されました」という音声が出力され、給湯温度が６０℃以上に設定されたときには、さらにＶ25のデータが選択されて「熱いお湯が出ます」という音声が出力される。
【００３０】
また、給湯器１が自動湯張り運転を開始する時は、給湯器１のコントローラ２から各リモコン１０，１１，１２に対して、自動湯張り運転の開始を報知する状態報知信号が送信され、該状態報知信号を受信した各リモコン１０，１１，１２においては、Ｖ27の音声データが選択されて「お湯張りをします」という音声が出力される。
【００３１】
そして、自動湯張り運転の終了５分前となった時に、給湯器１のコントローラ２から各リモコンに対してその旨を報知する状態報知信号が送信され、該状態報知信号を受信した各リモコン１０，１１，１２においては、Ｖ29の音声データが選択されて「ブザー＋残りおよそ５分でお風呂に入れます」という音声がスピーカから出力される。
【００３２】
また、自動湯張り運転が終了した時には、給湯器１のコントローラ２から各リモコンに対してその旨を報知する信号が送信され、該信号を受信した各リモコン１０，１１，１２においては、Ｖ28の音声データが選択されて「メロディ＋お風呂が沸きました」という音声がスピーカから出力される。
【００３３】
以上説明したように、各リモコン１０，１１，１２においては、スイッチ操作又は給湯器１のコントローラ２から送信される状態報知信号に応じて音声データ（Ｖ01〜Ｖ29）が選択され、選択された音声データに応じた音声が出力される。そして、この場合、例えば、風呂リモコン１０において、音量を変更する操作がなされて「音声は大です」という音声が出力されているときに、コントローラ２から自動湯張り運転の終了を報知する信号が受信されたときのように、ある音声の出力中に新たな音声の出力要求が生じる場合がある。
【００３４】
そこで、音声出力調停手段６１は、このように、ある音声の出力中に新たな音声の出力要求が生じた場合に、出力中の音声に応じた第１の音声データと、新たに音声データ選択手段６２により選択された第２の音声データとの間の音声調停処理を行う。以下、図５に示したフローチャートに従って、音声出力調停手段６１による音声調停処理の実行手順について説明する。
【００３５】
図５を参照して、ＳＴＥＰ１で音声データ選択手段６２（図２参照）によりスイッチ操作信号（Ｓｗ_sig）又は状態報知信号（Ｓｔａｔ_sig）に応じた音声データが選択されたときに、ＳＴＥＰ２に進んで、音声出力調停手段６０は音声再生回路５２により音声が出力中であるか否かを判断する。
【００３６】
そして、音声再生回路５２により音声が出力中でなかったときは、ＳＴＥＰ１０に分岐して、音声データ選択手段６２により選択された音声データが、音声メモリ５１から音声再生回路にロードされて該音声データに応じた音声が再生される。一方、音声再生回路５２により音声が出力中であったときには、ＳＴＥＰ３に進む。
【００３７】
ＳＴＥＰ３において、音声出力調停手段６１は、音声再生回路５２により再生中の第１の音声データと、音声データ選択手段６２により選択された第２の音声データとを、音声調停処理選択マップ６０に適用する。ここで、音声調停処理選択マップ６０は、図４に示したように、第１の音声データ（出力中音声，Ｖ01〜Ｖ29のうちのいずれか）と、第２の音声データ（要求音声，Ｖ01〜Ｖ29のうちのいずれか）とを入力パラメータとする。そして、第１の音声データに応じた音声出力と第２の音声データに応じた音声出力との相対的な優先関係に基づいて、以下の表１に示した第１の音声調停処理（Ａｒｂ１）と第２の音声調停処理（Ａｒｂ２）と第３の音声調停処理（Ａｒｂ３）とのいずれかの音声調停処理を選択するものである。
【００３８】
【表１】
2005049648.tif 000003
【００３９】
なお、このように、音声出力調停手段６１が音声選択調停処理選択マップ６０に第１の音声データと第２の音声データを適用して実行する音声調停処理を選択する機能が、本発明のマップアクセス手段に相当する。また、音声選択調停処理選択マップ６０のデータを給湯器１のコントローラ２に備えられたメモリに保持し、通信により該メモリにアクセスして音声選択調停処理選択マップ６０を使用するように構成してもよい。
【００４０】
そして、次のＳＴＥＰ４で、音声出力調停手段６１は、音声選択調停処理選択マップ６０により選択された音声調停処理を実行する。例えば、風呂リモコン１０において、Ｖ29の音声データに応じた音声「メロディ＋お風呂が沸きました」が出力されているときに、音声データ選択手段６２によりＶ14の音声データが選択されたときには、Ｖ29を第１の音声データ（出力中音声）とし、Ｖ14を第２の音声データ（要求音声）として、音声調停処理選択マップ６０に適用されるため、第２の音声調停処理（Ａｒｂ２）が選択されて実行される。
【００４１】
これにより、第１の音声データであるＶ29が優先され、Ｖ29による「メロディ＋お風呂が沸きました」という音声報知が継続されて、湯張りが終了したという使用者にとって重要な情報の報知が中断されないようにしている。また、Ｖ29による音声報知の終了後に、Ｖ14に応じた「給湯温度を、４１℃に設定しました」という音声報知を行うと、ＵＰスイッチ２４又はＤＯＷＮスイッチ２３を操作した時点からある程度時間が経過しているため不自然な報知となり、使用者に違和感を与えてしまう。そこで、第２の音声調停処理により、Ｖ14に応じた音声報知を禁止している。
【００４２】
また、他の例として、風呂リモコン１０において、使用者が、ＵＰスイッチ２４を操作して給湯温度を６０℃に変更した後に、自動スイッチ２２を操作して自動湯張り運転の開始を指示した場合、風呂リモコン１０では、先ずＵＰスイッチ２４の操作に応じてＶ06のデータが選択されて該データに応じた「メロディ（ＵＰ）」の音声が出力される。
【００４３】
そして、コントローラ２から給湯温度を６０℃に設定した旨を報知する信号を受信したときに、音声データ選択手段６２によりＶ23のデータが選択されて該データに応じた「熱いお湯が出ます。給湯温度を６０℃に設定しました」という音声が出力される。ここで、「熱いお湯が出ます。給湯温度を６０℃に設定しました」という音声の出力中に、自動スイッチ２２が操作されたときは、音声データ選択手段６２によりＶ01が選択される。
【００４４】
そして、音声出力調停手段６１は、Ｖ23を第１の音声データとし、Ｖ01を第２の音声データとして、音声調停処理選択マップ６０に適用する。その結果、第３の音声調停処理（Ａｒｂ３）が選択されて実行され、第２の音声データであるＶ01が優先されて、Ｖ23の音声データに応じた「熱いお湯が出ます。給湯温度を６０℃に設定しました」という音声報知が中断され、Ｖ01の音声データに応じた「ＳＷ受付ブザー」の音声が出力される。
【００４５】
そして、「ＳＷ受付ブザー」の音声出力中に、コントローラ２から湯張り運転を開始した旨を報知する信号を受信したときには、音声データ選択手段６２によりＶ27（湯張り開始ナビ）が選択され、音声出力調停手段６１は、Ｖ01を第１の音声データとし、Ｖ27を第２の音声データとして、音声調停処理選択マップ６０に適用する。その結果、第１の音声調停処理（Ａｒｂ１）が選択されて実行され、第１の音声データであるＶ01の音声データが優先されて、Ｖ01に応じた「ＳＷ受付ブザー」の音声出力の終了後に、Ｖ27の音声データに応じた「お湯張りをします」という音声が出力される。
【００４６】
すなわち、風呂リモコン１０においては、スイッチ操作に応じて「熱いお湯が出ます。給湯温度を６０℃に設定しました」という音声が中断され、「ＳＷ受付ブザー」の音声出力を挟んで「お湯張りをします」という音声が出力される。そして、これにより、スイッチ操作に対する応答を速やかに使用者に報知するようにしている。また、音声を中断したときに「ＳＷ受付ブザー」の音声を出力することによって、音声が中断されたことを使用者に明確に認識させるようにしている。
【００４７】
一方、台所リモコン１１及びサブリモコン１２に対しては、先ず、コントローラ２から給湯温度が６０℃に設定されたことを示す状態報知信号が送信される。そして、該状態報知信号を受信した台所リモコン１１及びサブリモコン１２において、音声データ選択手段６２により該状態報知信号に応じたＶ25の音声データが選択され、Ｖ25に応じた「熱いお湯が出ます」という音声が出力される。
【００４８】
そして、続いて、台所リモコン１１及びサブリモコン１２に対して、コントローラ２から湯張りを開始したことを報知する信号が送信され、該信号を受信した台所リモコン１１及びサブリモコン１２においては、音声データ選択手段６２により該信号に応じてＶ27が選択される。
【００４９】
そして、音声出力調停手段６１は、Ｖ25を第１の音声データとし、Ｖ27を第２の音声データとして、音声調停処理選択マップ６０に適用する。その結果、第１の音声調停処理（Ａｒｂ１）が選択されて実行され、第１の音声データであるＶ25が優先されて、Ｖ25に応じた「熱いお湯が出ます」という音声報知の終了後に、Ｖ27に応じた「お湯張りをします」という音声報知がなされる。
【００５０】
そして、これにより、Ｖ23に応じた音声出力を中断してＶ27に応じた音声を出力した場合に生じ得る「熱い−お湯張りをします」といった不自然な音声報知がなされて、使用者に違和感を与えることを防止している。
【００５１】
なお、本実施の形態では、本発明のリモコン装置及びリモコンシステムとして給湯器を遠隔操作するものを示したが、器具を遠隔操作する機能を有して該器具の作動状態及びスイッチの操作に応じた音声報知を行うリモコン装置及びリモコンシステムであれば、本発明の適用が可能である。
【００５２】
また、本実施の形態において、音声出力調停手段６１は、音声調停処理選択マップ６０を用いて実行する音声調停処理を選択したが、選択条件を直接プログラムする等の他の方法を用いて音声調停処理を選択するようにしてもよい。
【図面の簡単な説明】
【００５３】
【図１】給湯器を遠隔操作するリモコンシステムの全体構成図。
【図２】図１に示した風呂リモコンの構成図。
【図３】各リモコンから出力される音声の一覧表。
【図４】音声調停処理選択マップの仕様図。
【図５】音声調停処理のフローチャート。
【符号の説明】
【００５４】
１…給湯器、２…コントローラ、１０…風呂リモコン、１１…台所リモコン、１２…サブリモコン、６０…音声調停処理選択マップ、６１…音声出力調停手段、６２…音声データ選択手段
【図１】
2005049648.tif 000004
【図２】
2005049648.tif 000005
【図３】
2005049648.tif 000006
【図４】
2005049648.tif 000007
【図５】
2005049648.tif 000008